(57)【要約】【課題】電子装置の製造コストを抑制できるキーボードアダプタ、キーボード取付けシステム及び電子装置を提供することを課題とする。【解決手段】アダプタ３００は、キーボード４００が固定される表面３０２と、キーボード３００が搭載される本体部１００に対して前記キーボードとともに分離可能に固定される裏面３０４と、裏面３０４に本体部１００を固定するための凸部３１２とを備えている。設計が相違する本体部のそれぞれに対応したアダプタを用意することにより、同一のキーボードを複数の本体部に搭載することができる。即ち、設計が異なった装置本体に対しても、同一のキーボードを搭載することができる。これにより、キーボードを共通化でき、ノートパソコンの製造コストを抑制できる。【選択図】図２
2010086279.tif 000002
【特許請求の範囲】
【請求項１】
キーボードが固定される第１面と、
前記キーボードが搭載される装置本体に対して前記キーボードとともに分離可能に固定される第２面と、
前記第２面を前記装置本体に固定するための本体固定部とを含む、キーボードアダプタ。
【請求項２】
前記キーボードに対して位置決めをするための位置決め部を含む、請求項１に記載のキーボードアダプタ。
【請求項３】
前記キーボードと前記装置本体とを電気的接続するケーブルとの干渉を回避する逃げ部を含む、請求項１又は２に記載のキーボードアダプタ。
【請求項４】
前記第１面にキーボードを固定するためのキーボード係合部を含む、請求項１乃至３の何れかに記載のキーボードアダプタ。
【請求項５】
前記第１面に固定された前記キーボードを囲う壁部を含む、請求項１乃至４の何れかに記載のキーボードアダプタ。
【請求項６】
前記第１面に固定された前記装置本体の電子部品を囲う壁部を含む、請求項１乃至４の何れかに記載のキーボードアダプタ。
【請求項７】
電子部品を取付けるための取付け部と、
前記電子部品を囲う壁部とを含む、請求項１乃至４の何れかに記載のキーボードアダプタ。
【請求項８】
請求項１乃至７の何れかに記載のキーボードアダプタと、
前記キーボードが搭載される装置本体に前記キーボードアダプタの前記第２面を固定するための固定部材とを含む、キーボード取付けシステム。
【請求項９】
第１及び第２面を有し前記第１面にキーボードが固定されるキーボードアダプタと、
前記キーボードが搭載される装置本体に前記キーボードアダプタの前記第２面を固定するための固定部材とを含む、キーボード取付けシステム。
【請求項１０】
請求項１乃至８の何れかに記載のキーボードアダプタと、
前記キーボードと、
前記装置本体とを含む電子装置。
【発明の詳細な説明】
【技術分野】
【０００１】
本発明は、キーボードアダプタ、キーボード取付けシステム及び電子装置に関する。
【背景技術】
【０００２】
電子装置には、入力操作を行うためにキーボードが採用されたものが知られている。キーボードは、装置本体の所定位置に搭載される。装置本体へのキーボードの搭載は、ネジやツメ等によって行われる。
【０００３】
【特許文献１】特開平７−５８４８０号公報
【特許文献２】特開平７−２４５４９２号公報
【特許文献３】特開平９−６４５６２号公報
【発明の開示】
【発明が解決しようとする課題】
【０００４】
このような電子装置は、設計が変更されてモデルチェンジがなされる場合がある。モデルチェンジにより装置本体について設計変更がなされると、設計変更された装置本体に搭載できるようにするために、キーボードも設計変更する必要がある。そして、設計変更された装置本体及びキーボードを新たに製造する必要がある。即ち、本体装置の設計変更がなされるたびに、キーボードについても新たに設計変更し直して製造する必要がある。このようにキーボードを新たに設計変更し直して製造することが、電子装置の製造コストが増大する一因となっていた。
【０００５】
そこで本発明は上記の課題に鑑みてなされたものであり、電子装置の製造コストを抑制できるキーボードアダプタ、キーボード取付けシステム及び電子装置を提供することを目的とする。
【課題を解決するための手段】
【０００６】
上記課題を解決するために、本明細書に開示されているキーボードアダプタは、キーボードが固定される第１面と、前記キーボードが搭載される装置本体に対して前記キーボードとともに分離可能に固定される第２面と、前記第２面に前記装置本体を固定するための本体固定部とを含む。設計が相違する装置本体のそれぞれに対応したキーボードアダプタを用意することにより、同一のキーボードを複数の装置本体に搭載することができる。即ち、設計が異なった装置本体に対しても、同一のキーボードを搭載することができる。これにより、キーボードを共通化でき、電子装置の製造コストを抑制できる。
【０００７】
また本明細書に開示されているキーボード取付けシステムは、上記のキーボードアダプタと、前記キーボードが搭載される装置本体に前記キーボードアダプタの前記第２面を固定するための固定部材とを含む。
【０００８】
また本明細書に開示されているキーボード取付けシステムは、第１及び第２面を有し前記第１面にキーボードが固定されるキーボードアダプタと、前記キーボードが搭載される装置本体に前記キーボードアダプタの前記第２面を固定するための固定部材とを含む。
【０００９】
設計が相違する装置本体のそれぞれに対応したキーボードアダプタと固定部材とを用意することにより、同一のキーボードを複数の装置本体に搭載することができる。
【００１０】
また本明細書に開示されている電子装置は、上記キーボードアダプタと、前記キーボードと、前記装置本体とを備えている。また本明細書に開示されている電子装置は、上記キーボード取付けシステムと、前記キーボードと、前記装置本体とを備えている。
【発明の効果】
【００１１】
本明細書に開示のキーボードアダプタ、キーボード取付けシステム及び電子装置によれば、電子装置の製造コストが抑制される。
【発明を実施するための最良の形態】
【００１２】
以下、本発明に係る実施形態について説明する。
【００１３】
図１は、本実施例に係るノートパソコン（電子装置）１の斜視図である。ノートパソコン１は、不図示のヒンジ等により開閉可能に連結された本体部（装置本体）１００、表示部２００を含む。本体部１００には、操作部として機能するキーボード４００が取付けられている。キーボード４００は、複数配置されたキー４２０を含む。本体部１００には、ノートパソコン１全体の動作を制御するためのＣＰＵ(Central Processing Unit)や、ＲＯＭ(Read Only Memory)、ＲＡＭ(Random Access Memory)などが内蔵されている。
【００１４】
表示部２００には、所定の画像を表示するディスプレイ２１０が取付けられている。キーボード４００からの入力操作に応じて所望の画像がディスプレイ２１０に表示される。ディスプレイ２１０は、例えば、液晶ディスプレイ、プラズマディスプレイ、又はＣＲＴ（Cathode Ray Tube）ディスプレイである。キーボード４００は、アダプタ３００、固定部材５００によって本体部１００に取付けられている。
【００１５】
図２は、本体部１００の分解斜視図である。尚、表示部２００については省略してある。本体部１００は、基板１４０を内蔵している。基板１４０には、ＣＰＵ等の電子部品のほかコネクタ１３０が実装されている。基板１４０は、ポリイミド樹脂、エポキシ樹脂、ガラスエポキシ樹脂等の基材で形成した硬質のプリント板である。
【００１６】
キーボード４００は、本体部１００の上面側に位置する取付部１１０に取付けられる。取付部１１０の表示部２００に近い位置には、組付部１２０が設けられている。組付部１２０は、本体部１００と表示部２００とを開閉可能に連結する軸の方向に沿うように延びている。組付部１２０は、本体部１００の筺体の一部を成す。組付部１２０の、取付部１１０側の端部には、長手方向に亘って複数の凹部１２２が形成されている。組付部１２０の長手方向に亘って複数の係止孔１２４が設けられている。
【００１７】
アダプタ３００には、両面テープ３２０によりキーボード４００が固定される。アダプタ３００は薄板状に形成されている。アダプタ３００は、縁に複数設けられた凸部３１２と、略中央に設けられた逃し孔３３０とを含む。凸部３１２は、縁から外側に突出している。凸部３１２は、凹部１２２と相補形状に形成されている。凹部１２２と凸部３１２との係合により、本体部１００に対するアダプタ３００の位置が規定される。
【００１８】
表面３０２にキーボード４００が固定される。アダプタ３００の材料は、合成樹脂であってもよいし、金属であってもよい。尚、アダプタ３００の材料が合成樹脂の場合には、本体部１００に内蔵された電子部品からの放熱を考慮して耐熱性の優れた樹脂を用いることが望ましい。
【００１９】
キーボード４００は、基板４１０と、基板４１０上に複数配置されたキー４２０と、基板４１０の縁に９箇所に亘って設けられた凸部４１２と、基板４１０と本体部１００との電気的な接続を確保するためのケーブル４３０とを含む。基板４１０は複数のキー４２０の操作によりスイッチングされる。
【００２０】
凸部４１２は、基板４１０の縁から外側に向かって突出している。凸部４１２は、凸部３１２と略同じ形状に形成されている。凸部４１２の個数も、凸部３１２の個数と同じである。凸部４１２と凹部１２２とが係合することにより、本体部１００に対するキーボード４００の位置が規定される。
【００２１】
ケーブル４３０は、可撓性を有した回路基板であり、フレキシブルプリント基板とも称される。ケーブル４３０は、逃し孔３３０を通過してコネクタ１３０へ接続される。これにより、本体部１００とキーボード４００との電気的接続が確保される。即ち逃し孔３３０は、ケーブル４３０とアダプタ３００との干渉を回避するための逃げ部として機能する。
【００２２】
固定部材５００は、細長状に形成されている。固定部材５００は、合成樹脂により形成されている。固定部材５００には、長手方向に亘って複数の押圧部５１２が設けられている。押圧部５１２は、固定部材５００の底面から下方に突出している。押圧部５１２は、凹部１２２と係合可能である。また、固定部材５００の底面には、爪部５４０が設けられている。爪部５４０は、組付部１２０の係止孔１２４と係合可能である。詳細には、爪部５４０と係止孔１２４とはスナップフィットによって係合する。
【００２３】
本体部１００の組立方法について説明する。まず、逃し孔３３０を回避するようにして表面３０２に不図示の両面テープを貼り付ける。次に、逃し孔３３０にケーブル４３０を通過させた状態で、凸部３１２と凸部４１２との位置が一致するようにして、表面３０２にキーボード４００を固定する。即ち、凸部３１２は、キーボード４００に対して位置決めをするための位置決め部として機能する。キーボード４００は、両面テープにより表面３０２に固定される。
【００２４】
次に、凸部３１２、４１２を、凹部１２２に対応させて、アダプタ３００、キーボード４００を本体部１００の取付部１１０へ組み付ける。この状態では、アダプタ３００、キーボード４００は、取付部１１０に固定されておらず取り外しが可能な状態である。次に、押圧部５１２を凹部１２２に対応させ、爪部５４０を係止孔１２４に対応させて、固定部材５００を本体部１００へと組み付ける。爪部５４０と係止孔１２４とが係合するので、固定部材５００は本体部１００へ固定され、かつ、押圧部５１２は、凸部３１２、４１２を押圧する。押圧部５１２が凸部３１２、４１２を押圧するので、アダプタ３００、キーボード４００は、固定部材５００によって本体部１００に固定される。このようにして本体部１００は組み立てられる。
【００２５】
図３は、本体部１００へのキーボード４００の組付けを説明するための斜視図である。図３（Ａ）は、組立て後の本体部１００の一部を示した斜視図である。図３（Ｂ）は、凸部４１２周辺の拡大図である。尚、理解を容易にするためにキー４２０の一部分の図示を省略してある。図３（Ａ）、図３（Ｂ）に示すように、押圧部５１２は、凸部４１２を本体部１００側へと押圧する。従って、押圧部５１２は、キーボード４００を本体部１００に押え付けるキーボード押え部として機能する。
【００２６】
図４は、固定部材５００、アダプタ３００による、本体部１００へのキーボード４００の組付けを説明するための断面図である。尚、図４においては、キーボード４００についてキー４２０を省略してある。押圧部５１２が凸部４１２の上面を本体部１００側へ押圧することにより、アダプタ３００、キーボード４００が本体部１００へ固定される。従って、押圧部５１２は、アダプタ３００を本体部１００に押え付けるアダプタ押え部として機能する。また、凸部３１２は、凸部４１２を介して間接的に押圧部５１２により押え付けられる。従って、凸部３１２は、アダプタ３００の裏面３０４を本体部１００に固定するための本体固定部として機能する。
【００２７】
ここで、従来のキーボードと本体部との組立てについて説明する。通常、キーボードは、本体部の所定位置でネジやツメなどによって固定されていた。このため、本体部が設計変更されると、ネジ孔やツメの位置等も変更されるのが通常であり、キーボードについても新たに設計し直して製造する必要があった。
【００２８】
しかしながら、本実施例のキーボード４００は本体部１００に直接固定されることなく、アダプタ３００を介して本体部１００へ固定される。このため、本体部１００が設計変更された場合であっても、アダプタ３００の形状などを変更することにより、同一のキーボード４００を設計変更された本体部に固定することができる。これにより、同一のキーボードを、設計変更された本体部に取付けることができる。従って、キーボードを新たに設計変更して製造する必要がなくなり、ノートパソコン１全体の製造コストを抑制できる。
【００２９】
また、キーボード４００をネジやツメなどによって直接本体部１００に固定すると、固定箇所の位置によって、キーボード４００の打鍵感が相違する。即ち、固定箇所近傍と固定箇所から離れた位置とでは打鍵感が相違しユーザに違和感を与える。しかしながら、キーボード４００は、本体部１００に直接固定されることなくアダプタ３００に両面テープにより固定される。このため、アダプタ３００の表面３０２全面でキーボード４００が保持されるので、操作位置によらずに打鍵感を略均一にすることができる。
【００３０】
次に、キーボード４００とは形状の異なるキーボードの固定について説明する。図５は、形状の異なるキーボードの固定を説明するための断面図である。尚、図５は、図４に対応しており、キー４２０については省略してある。図５に示すように、基板４１０ａには、凸部４１２が設けられていない。アダプタ３００と基板４１０ａとの固定は両面テープにより行われているが、接着剤や溶着により固定してもよい。図５に示すように、基板４１０ａには、前述した場合と異なり凸部４１２が設けられていない。即ち、押圧部５１２が凸部３１２を直接押圧する。従って、凸部３１２は、アダプタ３００の裏面３０４を本体部１００に固定するための本体固定部として機能する。このようなキーボード４００ａであっても、本体部１００に固定して取付けることができる。このようにして本体部１００に取り付けられたアダプタ３００は、組立ての逆の作業手順により、キーボード４００と共に本体部１００から分離することができる。
【００３１】
次に、第１変形例に係るアダプタについて説明する。図６は、キーボード４００とは異なる形状のキーボード４００ｃを裏面側から見た図である。図７は、第１変形例に係るアダプタの説明図である。図６に示すように、ケーブル４３０ｃが基板４１０の中央よりも右側にずれた位置に取付けられている。このようなキーボード４００ｃを本体部１００ｂに取付ける場合には、図７に示したアダプタ３００ｂを採用することにより、本体部１００ｂへキーボード４００ｃを固定可能となる。尚、キーボード４００ｃの凸部４１２ｃは、本体部１００ｂの筺体に設けられた凹部と係合可能である。
【００３２】
本体部１００ｂは、図７に示すように、電子部品が実装された基板１４０ｂを内蔵しており、基板１４０ｂには４つのネジ孔１４４ｂが設けられている。ネジ孔１４４ｂは、ネジ３１５ｂとによってアダプタ３００ｂを本体部１００ｂの筺体へ固定するためのものである。アダプタ３００ｂには４つの孔部３１４ｂが形成されている。孔部３１４ｂにはネジ３１５ｂが挿入可能である。ネジ３１５ｂは、基板１４０ｂのネジ孔１４４ｂに螺合する。従って、孔部３１４ｂは、アダプタ３００ｂの裏面に本体部１００を固定するための本体固定部として機能する。
【００３３】
アダプタ３００ｂの周囲の一部には、切欠部３３０ｂが形成されている。切欠部３３０ｂは、基板１４０ｂに実装されたコネクタ１３０ｂから退避するように形成されている。
【００３４】
切欠部３３０ｂは、ケーブル４３０ｃと対応する位置に設けられている。このため、キーボード４００ｃと本体部１００ｂとの電気的接続を確保することができる。即ち切欠部３３０ｂは、ケーブル４３０ｃとアダプタ３００ｂとの干渉を回避するための逃げ部として機能する。
【００３５】
前述したように、本体部１００ｂに合わせてキーボードを設計変更して、新たにキーボードを製造するのが通常である。具体的には、基板１４０ｂのネジ孔１４４ｂの位置に対応したネジ孔を有したキーボードを新たに設計、製造する必要がある。しかしながら、図６に示したように、キーボードを設計変更するのではなく、アダプタ３００ｂを本体部１００ｂに固定可能に設計変更することにより、キーボード４００ｃを設計変更することなく本体部１００ｂへ取付けることが可能となる。これにより、新たにキーボードを設計変更し直して製造する場合と比較し、ノートパソコンの製造コストを低減できる。
【００３６】
次に、第２変形例に係るアダプタについて説明する。図８は、第２変形例に係るアダプタの説明図である。図８に示すように、アダプタ３００ｃの縁部には表面３０２の上側に突出した突片３１３ｃが形成されている。突片３１３ｃには、係合孔３１３ｃ１が形成されている。係合孔３１３ｃ１には、基板４１０の縁に形成された凸部４１２と係合する。突片３１３ｃ、凸部４１２は、図示はしていないが、それぞれアダプタ３００ｃの縁、基板４１０の縁に複数設けられている。係合孔３１３ｃ１と凸部４１２とが係合することにより、キーボード４００はアダプタ３００ｃの表面３０２ｃに固定されている。尚、アダプタ３００ｃは、ネジやツメによって本体部に固定される。
【００３７】
また、係合孔３１３ｃ１と凸部４１２との係合によりキーボード４００はアダプタ３００ｃに対して位置決めされる。従って、係合孔３１３ｃ１、凸部４１２は、位置決め部として機能する。
【００３８】
尚、アダプタ３００ｃに固定されるキーボード４００は、固定部材５００を用いずに固定されていてもよい。即ち、固定部材５００を用いずに、複数の係合孔３１３ｃ１と複数の凸部４１２とが係合することにより、アダプタ３００ｃにキーボード４００が固定されるようにしてもよい。
【００３９】
次に、第３変形例に係るアダプタについて説明する。図９（Ａ）（Ｂ）は、第４変形例に係るアダプタの説明図である。図９（Ａ）は、アダプタ３００ｄの斜視図である。図９（Ａ）に示すように、アダプタ３００ｄの縁には、表面３０２ｄの上方に突出した壁部３４０ｄが形成されている。壁部３４０ｄは、アダプタ３００ｄの縁全体にわたって形成されている。また、壁部３４０ｄの側面の外側には突片３１４ｄが設けられている。突片３１４ｄには孔部３１４ｄ１が形成されている。アダプタ３００ｄは、孔部３１４ｄ１に挿入されるネジによって本体部１００に固定される。従って、突片３１４ｄは、アダプタ３００ｂの裏面３０４ｄに本体部１００を固定するための本体固定部として機能する。
【００４０】
図９（Ｂ）は、アダプタ３００ｄを本体部１００に組み付けた際の断面図である。尚、図９（Ｂ）においては、キーボード４００や本体部１００の構造については簡略化して示してある。アダプタ３００ｄの下部には、基板１４０と、基板１４０に実装された電子部品１５１、１５２などが配置される。壁部３４０ｄは、キーボード４００のキー４２０の上端面よりを超えた高さを有している。即ち、アダプタ３００ｄに固定されたキーボード４００は、壁部３４０ｄによって囲われている。これにより、キーボード４００から水やごみが浸入したとしても、壁部３４０ｄによって本体部１００の内部へまでの侵入することを防止できる。これにより、電子部品１５１、１５２等が故障する恐れを防止できる。尚、アダプタ３００ｄとキーボード４００との固定は、溶着、又は接着剤や両面テープにより行う。凸部３１２ｄは、固定部材固定部材５００の押圧部５１２によって本体部１００側へと押え付けられる。
【００４１】
尚、アダプタ３００ｄへのキーボード４００の固定は、両面テープや接着剤、溶着であってもよいし、前述した固定部材５００を用いて行ってもよい。
【００４２】
次に、第４変形例に係るアダプタについて説明する。図１０は、第４変形例に係るアダプタについての説明図であり、図１０（Ａ）は、アダプタ３００ｅの表面３０２ｅ側からの斜視図、図１０（Ｂ）は、裏面３０４ｅ側から見た斜視図である。アダプタ３００ｅは金属により形成されている。アダプタ３００ｅの縁には、裏面３０４ｅ側に突出した壁部３４０ｅが形成されている。壁部３４０ｅは、アダプタ３００ｅの縁全体にわたって形成されている。また、表面３０２ｅの縁には、表面３０２ｅの上方に突出した複数の突片３１３ｅが形成されている。壁部３４０ｅの外側面には、外側に突出した突片３１４ｅが複数形成されている。突片３１４ｅには孔部３１４ｅ１が形成されている。突片３１４ｅは、アダプタ３００ｅを本体部１００に固定するためのものである。裏面３０４ｅには、ピン部３１５ｅが複数形成されている。ピン部３１５ｅは、電子部品を実装した基板を固定するためのものである。即ちアダプタ３００ｅは、電子部品を内蔵可能に形成されている。
【００４３】
図１１は、アダプタ３００ｅに電子部品を内蔵した状態でのアダプタ３００ｅの断面図である。ピン部３１５ｅにはネジ３１６ｅが螺合されて、基板１４０ｅがアダプタ３００ｅに固定される。即ち、ピン部３１５ｅは、電子部品を取付けるための取付け部として機能する。基板１４０ｅの実装面は裏面３０４ｅと対向している。基板１４０ｅには、電子部品１５１ｅ、１５２ｅが実装されている。これにより、アダプタ３００ｅと電子部品１５１ｅ、１５２ｅとを一体化できる。従って、キーボード４００と、アダプタ３００ｅと内蔵された電子部品１５１ｅ、１５２ｅとを一体に取り扱うことができる。
【００４４】
また、壁部３４０ｅが電子部品１５１ｅ、１５２ｅを囲うので、電子部品１５１ｅ等から放出される電磁波ノイズの外部への漏れを抑制できる。即ち、アダプタ３００ｅはシールドとして機能する。尚、基板１４０ｅは、不図示のケーブルやコネクタにより本体部１００に内蔵された基板と電気的な接続が確保される。アダプタ３００ｅとキーボード４００との固定は、溶着、又は接着剤や両面テープにより行う。
尚、アダプタ３００ｅへのキーボード４００の固定は、両面テープや接着剤、溶着であってもよいし、前述した固定部材５００を用いて行ってもよい。
【００４５】
次に、第５変形例に係るアダプタについて説明する。図１２は、第５変形例に係るアダプタを説明するための断面図である。尚、図１２においては本体部１００、キーボード４００については簡略化して示している。図１２に示すように、アダプタ３００ｆの縁には、裏面３０４ｆ側に突出した壁部３４０ｆが設けられている。また、アダプタ３００ｆには、表面３０２ｆ側が窪み裏面３０４ｆ側が突出した当接部３５１ｆ、３５２ｆが設けられている。当接部３５１ｆ、３５２ｆは、それぞれ基板１４０に実装された電子部品１５１、１５２の上面と当接する。これにより、電子部品１５１、１５２からの熱をアダプタ３００ｆが受熱し、電子部品１５１、１５２の放熱を助長することができる。従って、アダプタ３００ｆは放熱板としても機能する。尚、アダプタ３００ｆは、熱伝導性のよい金属で形成されている。
【００４６】
また、壁部３４０ｆが電子部品１５１、１５２を囲っているので壁部３４０ｆはシールドとしても機能する。尚、アダプタ３００ｆとキーボード４００との固定は、両面テープにより行っているが、溶着、接着剤、又は固定部材５００を用いてもよい。
【００４７】
上述した実施形態は本発明の好適な実施の例である。但し、これに限定されるものではなく、本発明の要旨を逸脱しない範囲内において種々変形実施可能である。
【００４８】
ノートパソコン以外の電子装置意外であってもよい。例えば、ＰＤＡ（Personal Digital Assistant）や携帯電話である。
【００４９】
尚、凸部３１２、３１２ｄの個数や、突片３１４ｄ、３１４ｅの個数、ピン部３１５ｅの個数については上述した場合に限定されない。
以下に本願特徴を付記する。
（付記１）
キーボードが固定される第１面と、
前記キーボードが搭載される装置本体に対して前記キーボードとともに分離可能に固定される第２面と、
前記第２面を前記装置本体に固定するための本体固定部とを含む、キーボードアダプタ。
（付記２）
前記キーボードに対して位置決めをするための位置決め部を含む、付記１に記載のキーボードアダプタ。
（付記３）
前記キーボードと前記装置本体とを電気的接続するケーブルとの干渉を回避する逃げ部を含む、付記１又は２に記載のキーボードアダプタ。
（付記４）
前記第１面にキーボードを固定するためのキーボード係合部を含む、付記１乃至３の何れかに記載のキーボードアダプタ。
（付記５）
前記第１面に固定された前記キーボードを囲う壁部を含む、付記１乃至４の何れかに記載のキーボードアダプタ。
（付記６）
前記第１面に固定された前記装置本体の電子部品を囲う壁部を含む、付記１乃至４の何れかに記載のキーボードアダプタ。
（付記７）
電子部品を取付けるための取付け部と、
前記電子部品を囲う壁部とを含む、付記１乃至４の何れかに記載のキーボードアダプタ。
（付記８）
前記取付け部は、前記第２面に設けられている、付記７に記載のキーボードアダプタ。
（付記９）
金属製である付記６乃至８の何れかに記載のキーボードアダプタ。
（付記１０）
金属製であり、
前記第２面に固定された前記装置本体の電子部品と当接する当接部を含む、付記１乃至８の何れかに記載のキーボードアダプタ。
（付記１１）
付記１乃至１０の何れかに記載のキーボードアダプタと、
前記キーボードが搭載される装置本体に前記キーボードアダプタの前記第２面を固定するための固定部材とを含む、キーボード取付けシステム。
（付記１２）
第１及び第２面を有し前記第１面にキーボードが固定されるキーボードアダプタと、
前記キーボードが搭載される装置本体に前記キーボードアダプタの前記第２面を固定するための固定部材とを含む、キーボード取付けシステム。
（付記１３）
前記固定部材は、前記装置本体と係合する係合部と、前記キーボードアダプタを前記装置本体に押え付けるアダプタ押え部とを含む、付記１１又は１２に記載のキーボード取付けシステム。
（付記１４）
前記アダプタ押え部は、前記キーボードを前記装置本体に押え付ける、付記１３に記載のキーボード取付けシステム。
（付記１５）
付記１乃至１０の何れかに記載のキーボードアダプタと、
前記キーボードと、
前記装置本体とを含む電子装置。
（付記１６）
付記１１乃至１４の何れかに記載のキーボード取付けシステムと、
前記キーボードと、
前記装置本体とを含む電子装置。
【図面の簡単な説明】
【００５０】
【図１】本実施例に係るノートパソコンの斜視図である。
【図２】本体部の分解斜視図である。
【図３】本体部へのキーボードの組付けを説明するための斜視図である。
【図４】本体部へのキーボードの組付けを説明するための断面図である。
【図５】形状の異なるキーボードの固定を説明するための断面図である。
【図６】異なる形状のキーボードを裏面側から見た図である。
【図７】第１変形例に係るアダプタの説明図である。
【図８】第２変形例に係るアダプタの説明図である。
【図９】第３変形例に係るアダプタの説明図である。
【図１０】第４変形例に係るアダプタについての説明図である。
【図１１】アダプタに電子部品を内蔵した状態での第４変形例に係るアダプタの断面図である。
【図１２】第５変形例に係るアダプタを説明するための断面図である。
【符号の説明】
【００５１】
１００、１００ｂ  本体部
１２２  凹部
１２４  係止孔
１４０、１４０ｂ、１４０ｅ  基板
１５１、１５２、１５１ｅ、１５２ｅ  電子部品
３００、３００ｂ、３００ｃ、３００ｄ、３００ｅ、３００ｆ  アダプタ
３０２、３０２ｃ、３０２ｄ、３０２ｅ、３０２ｆ  表面（第１面）
３０４、３０４ｄ、３０４ｅ、３０４ｆ  裏面（第２面）
３１２、３１２ｄ、３１２ｅ  凸部（本体固定部、位置決め部）
３１４ｂ  孔部（本体固定部）
３１３ｃ、３１３ｅ  突片（キーボード係合部）
３１４ｄ、３１４ｅ  突片（本体固定部）
３１５ｅ  ピン部
３３０  逃し孔（逃げ部）
３３０ｂ  切欠部（逃げ部）
３４０ｄ、３４０ｅ、３４０ｆ  壁部
３５１ｆ、３５２ｆ  当接部
【図１】
2010086279.tif 000003
【図２】
2010086279.tif 000004
【図３】
2010086279.tif 000005
【図４】
2010086279.tif 000006
【図５】
2010086279.tif 000007
【図６】
2010086279.tif 000008
【図７】
2010086279.tif 000009
【図８】
2010086279.tif 000010
【図９】
2010086279.tif 000011
【図１０】
2010086279.tif 000012
【図１１】
2010086279.tif 000013
【図１２】
2010086279.tif 000014